【手続補正書】
【提出日】平成16年4月6日(2004.4.6)
【手続補正１】
【補正対象書類名】明細書
【補正対象項目名】請求項１
【補正方法】変更
【補正の内容】
【請求項１】
ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
前記読み出し指示に応じたデータを、当該データに関連する付加情報と共に、いずれかの速度でディスクから読み出す処理部と、
読み出されたデータがリアルタイム記録されたデータか否かを、前記付加情報に基づいて判定する判定部と、
読み出されたデータを一時的に蓄積する記憶部と、
前記記憶部に蓄積されたデータを、所定の再生タイミングでホスト部へ送出する送出部とを備え、
前記処理部は、現在の読み出し速度が低速である場合、読み出されたデータがリアルタイム記録されたデータであると前記判定部で判定される間は、読み出し速度を変化させないことを特徴とする、ディスク駆動装置。
【手続補正２】
【補正対象書類名】明細書
【補正対象項目名】請求項８
【補正方法】変更
【補正の内容】
【請求項８】
前記ディスクのデータ領域は、複数のゾーン領域と各ゾーン領域の間に設けられるギャップ領域から構成され、前記処理部は、現在の読み出し速度が低速である場合、読み出されたデータがリアルタイム記録されたデータであっても、所定の条件を満足すれば、前記ギャップ領域を読み出し用ヘッドが通過する期間中に、読み出し速度を高速に変化させることを特徴とする、請求項１に記載のディスク駆動装置。
【手続補正３】
【補正対象書類名】明細書
【補正対象項目名】請求項１４
【補正方法】変更
【補正の内容】
【請求項１４】
ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
セットされたディスクにおける特定情報を判断して、ディスクにリアルタイム記録されたデータが存在するか否かを判定する判定部と、
前記判定部による判定結果に応じて、リアルタイム記録されたデータが存在するか否かを示すフラグを設定する管理部と、
前記読み出し指示に応じたデータを、いずれかの速度でディスクから読み出す処理部と、
読み出されたデータを一時的に蓄積する記憶部と、
前記記憶部に蓄積されたデータを、所定の再生タイミングでホスト部へ送出する送出部とを備え、
前記管理部は、前記判定部でディスクにリアルタイム記録されたデータが存在すると判定された場合、前記フラグを設定し、
前記処理部は、現在の読み出し速度が低速である場合、前記フラグが設定されていれば読み出し速度を変化させないことを特徴とする、ディスク駆動装置。
【手続補正４】
【補正対象書類名】明細書
【補正対象項目名】請求項２１
【補正方法】変更
【補正の内容】
【請求項２１】
前記ディスクのデータ領域は、複数のゾーン領域と各ゾーン領域の間に設けられるギャップ領域から構成され、前記処理部は、現在の読み出し速度が低速である場合、前記フラグが設定されていても、所定の条件を満足すれば、前記ギャップ領域を読み出し用ヘッドが通過する期間中に、読み出し速度を高速に変化させることを特徴とする、請求項１４に記載のディスク駆動装置。
【手続補正５】
【補正対象書類名】明細書
【補正対象項目名】請求項２９
【補正方法】変更
【補正の内容】
【請求項２９】
ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
ホスト部から受ける読み出し指示に含まれる、リアルタイム再生を行うか否かを示す情報を抽出する抽出部と、
前記抽出された情報に基づいて、対応するデータをいずれかの速度でディスクから読み出す処理部と、
読み出されたデータを一時的に蓄積する記憶部と、
前記記憶部に蓄積されたデータを、所定の再生タイミングでホスト部へ送出する送出部とを備え、
前記処理部は、現在の読み出し速度が低速である場合、前記情報がリアルタイム再生を行うことを示していれば読み出し速度を変化させないことを特徴とする、ディスク駆動装置。
【手続補正６】
【補正対象書類名】明細書
【補正対象項目名】請求項３６
【補正方法】変更
【補正の内容】
【請求項３６】
前記ディスクのデータ領域は、複数のゾーン領域と各ゾーン領域の間に設けられるギャップ領域から構成され、前記処理部は、現在の読み出し速度が低速である場合、前記情報がリアルタイム再生を行うことを示していても、所定の条件を満足すれば、前記ギャップ領域を読み出し用ヘッドが通過する期間中に、読み出し速度を高速に変化させることを特徴とする、請求項２９に記載のディスク駆動装置。
【手続補正７】
【補正対象書類名】明細書
【補正対象項目名】請求項４１
【補正方法】変更
【補正の内容】
【請求項４１】
ホスト部とのインタフェースがＡＴＡＰＩである場合、前記リアルタイム再生を行うか否かを示す情報として、読み出しコマンドのストリーミングビットを用いることを特徴とする、請求項２９に記載のディスク駆動装置。
【手続補正８】
【補正対象書類名】明細書
【補正対象項目名】０００８
【補正方法】変更
【補正の内容】
【０００８】
【課題を解決するための手段及び発明の効果】
第１の発明は、ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
読み出し指示に応じたデータを、当該データに関連する付加情報と共に、いずれかの速度でディスクから読み出す処理部と、読み出されたデータがリアルタイム記録されたデータか否かを、付加情報に基づいて判定する判定部と、読み出されたデータを一時的に蓄積する記憶部と、記憶部に蓄積されたデータを、所定の再生タイミングでホスト部へ送出する送出部とを備え、
処理部は、現在の読み出し速度が低速である場合、読み出されたデータがリアルタイム記録されたデータであると判定部で判定される間は、読み出し速度を変化させないことを特徴とする。


【手続補正９】
【補正対象書類名】明細書
【補正対象項目名】００１０
【補正方法】変更
【補正の内容】
【００１０】
第７の発明は、第１の発明に従属するディスク駆動装置であって、処理部は、現在の読み出し速度が低速である場合、読み出されたデータがリアルタイム記録されていないデータで、かつ、所定の条件を満足したときに、読み出し速度を高速に変化させることを特徴とする。
第８の発明は、第１の発明に従属するディスク駆動装置であって、ディスクのデータ領域は、複数のゾーン領域と各ゾーン領域の間に設けられるギャップ領域から構成され、処理部は、現在の読み出し速度が低速である場合、読み出されたデータがリアルタイム記録されたデータであっても、所定の条件を満足すれば、ギャップ領域を読み出し用ヘッドが通過する期間中に、読み出し速度を高速に変化させることを特徴とする。
第９〜第１２の発明は、第７及び第８の発明に従属するディスク駆動装置であって、所定の条件が、データの読み出しエラーが解消した後に正常なデータの読み出しが所定回数又は所定時間行われたか否かであることを特徴とする。


【手続補正１０】
【補正対象書類名】明細書
【補正対象項目名】００１３
【補正方法】変更
【補正の内容】
【００１３】
第１４の発明は、ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
セットされたディスクにおける特定情報を判断して、ディスクにリアルタイム記録されたデータが存在するか否かを判定する判定部と、判定部による判定結果に応じて、リアルタイム記録されたデータが存在するか否かを示すフラグを設定する管理部と、読み出し指示に応じたデータを、いずれかの速度でディスクから読み出す処理部と、読み出されたデータを一時的に蓄積する記憶部と、記憶部に蓄積されたデータを、所定の再生タイミングでホスト部へ送出する送出部とを備え、
管理部は、判定部でディスクにリアルタイム記録されたデータが存在すると判定された場合、フラグを設定し、処理部は、現在の読み出し速度が低速である場合、フラグが設定されていれば読み出し速度を変化させないことを特徴とする。


【手続補正１１】
【補正対象書類名】明細書
【補正対象項目名】００１５
【補正方法】変更
【補正の内容】
【００１５】
第２０の発明は、第１４の発明に従属するディスク駆動装置であって、処理部は、現在の読み出し速度が低速である場合、フラグが設定されておらず、かつ、所定の条件を満足したときに、読み出し速度を高速に変化させることを特徴とする。
第２１の発明は、第１５の発明に従属するディスク駆動装置であって、ディスクのデータ領域は、複数のゾーン領域と各ゾーン領域の間に設けられるギャップ領域から構成され、処理部は、現在の読み出し速度が低速である場合、フラグが設定されていても、所定の条件を満足すれば、ギャップ領域を読み出し用ヘッドが通過する期間中に、読み出し速度を高速に変化させることを特徴とする。
第２２〜第２５の発明は、第２０及び第２１の発明に従属するディスク駆動装置であって、所定の条件が、データの読み出しエラーが解消した後に正常なデータの読み出しが所定回数又は所定時間行われたか否かであることを特徴とする。


【手続補正１２】
【補正対象書類名】明細書
【補正対象項目名】００１９
【補正方法】変更
【補正の内容】
【００１９】
第２９の発明は、ディスクを少なくとも低速及び高速の２通りの速度で駆動可能であり、ホスト部から受ける再生すべきデータの読み出し指示に従って、該当するデータをディスクから読み出してホスト部に送出するディスク駆動装置であって、
ホスト部から受ける読み出し指示に含まれる、リアルタイム再生を行うか否かを示す情報を抽出する抽出部と、抽出された情報に基づいて、対応するデータをいずれかの速度でディスクから読み出す処理部と、読み出されたデータを一時的に蓄積する記憶部と、記憶部に蓄積されたデータを、所定の再生タイミングでホスト部へ送出する送出部とを備え、
処理部は、現在の読み出し速度が低速である場合、情報がリアルタイム再生を行うことを示していれば読み出し速度を変化させないことを特徴とする。


【手続補正１３】
【補正対象書類名】明細書
【補正対象項目名】００２１
【補正方法】変更
【補正の内容】
【００２１】
第３５の発明は、第２９の発明に従属するディスク駆動装置であって、処理部は、現在の読み出し速度が低速である場合、情報がリアルタイム再生を行うことを示しておらず、かつ、所定の条件を満足したときに、読み出し速度を高速に変化させることを特徴とする。
第３６の発明は、第２９の発明に従属するディスク駆動装置であって、ディスクのデータ領域は、複数のゾーン領域と各ゾーン領域の間に設けられるギャップ領域から構成され、処理部は、現在の読み出し速度が低速である場合、情報がリアルタイム再生を行うことを示していても、所定の条件を満足すれば、ギャップ領域を読み出し用ヘッドが通過する期間中に、読み出し速度を高速に変化させることを特徴とする。
第３７〜第４０の発明は、第３５及び第３６の発明に従属するディスク駆動装置であって、所定の条件が、データの読み出しエラーが解消した後に正常なデータの読み出しが所定回数又は所定時間行われたか否かであることを特徴とする。


【手続補正１４】
【補正対象書類名】明細書
【補正対象項目名】００２２
【補正方法】変更
【補正の内容】
【００２２】
第４１の発明は、第２９の発明に従属するディスク駆動装置であって、ホスト部とのインタフェースがＡＴＡＰＩである場合、リアルタイム再生を行うか否かを示す情報として、読み出しコマンドのストリーミングビットを用いることを特徴とする。